(57)【要約】【課題】サブ画素に欠陥があっても、自然画などを表示させたときに、当該欠陥のあるサブ画素を目立たなくする。【解決手段】表示パネルでは、ＰＱＳＴの４つのサブ画素によって１画素が表現される。画像処理装置は、画素に対して三原色の明るさで指定する画像データＤinを、４つサブ画素による色の明るさをそれぞれ指定する表示データに変換する色変換回路２２と、記憶回路に記憶された位置に存在する欠陥サブ画素における明るさの過不足に相当する量を、当該欠陥サブ画素の周囲に位置し、当該欠陥サブ画素と同色のサブ画素に対して明るさを指定するデータに加える補正回路２４とを有する。【選択図】図３
2009047965.tif 000002
【特許請求の範囲】
【請求項１】
複数の画素を有し、前記複数の画素の各々は、４以上の所定数であって互いに異なる色のサブ画素から構成される表示パネルに、前記サブ画素を指定された明るさにする表示データを供給する画像処理装置であって、
前記画素に対して三原色の明るさで指定する画像データを、前記所定数のサブ画素による色の明るさをそれぞれ指定する表示データに変換する色変換回路と、
前記表示パネルに存在する欠陥サブ画素の色および位置を記憶する記憶回路と、
前記記憶回路に記憶された位置に存在する欠陥サブ画素における明るさの過不足を補う所定の量を、当該欠陥サブ画素の周囲に位置し、当該欠陥サブ画素と同色のサブ画素に対する表示データに加える補正回路と、
を有することを特徴とする画像処理装置。
【請求項２】
前記表示パネルにおいて１画素は、４つのサブ画素から構成され、
前記色変換回路は、
前記画像データで指定される３色の明るさをそれぞれ逆γ変換する前段γ変換回路と、
前記前段γ変換回路によって逆γ変換された３色の明るさを、４色の明るさに変換する４色変換回路と、
前記４色変換回路により変換された４色の明るさをそれぞれγ変換して、前記表示データとして出力する後段γ変換回路と、
を有することを特徴とする請求項１に記載の画像処理装置。
【請求項３】
前記前段γ変換回路および前記後段γ変換回路は、それぞれ１次元ルックアップテーブルであり、
前記４色変換回路は、３次元変換テーブルである
ことを特徴とする請求項２に記載の画像処理装置。
【請求項４】
前記欠陥画素の周囲に位置し、当該欠陥サブ画素における明るさの過不足を補う所定の量が加えられるサブ画素を、時間的に変化させる
ことを特徴とする請求項１に記載の画像処理装置。
【請求項５】
複数の画素を有し、前記複数の画素の各々は、４以上の所定数であって互いに異なる色のサブ画素から構成される表示パネルと、
前記表示パネルに対し、前記表示データを供給する画像処理装置と、
を具備し、
前記画像処理装置は、
前記画素に対して三原色の明るさで指定する画像データを、前記所定数のサブ画素による色の明るさをそれぞれ指定する表示データに変換する色変換回路と、
前記表示パネルに存在する欠陥サブ画素の色および位置を記憶する記憶回路と、
前記記憶回路に記憶された位置に存在する欠陥サブ画素における明るさの過不足を補う所定の量を、当該欠陥サブ画素の周囲に位置し、当該欠陥サブ画素と同色のサブ画素に対する表示データに加える補正回路と、
を有することを特徴とする表示装置。
【請求項６】
前記表示パネルにおいて１画素を構成するサブ画素は、ＥＧ、ＹＧ、Ｂ、Ｒである
ことを特徴とする請求項５に記載の表示装置。
【請求項７】
前記表示パネルにおいて１画素を構成するサブ画素は、Ｗ、Ｇ、Ｂ、Ｒである
ことを特徴とする請求項５に記載の表示装置。
【請求項８】
複数の画素を有し、前記複数の画素の各々は、４以上の所定数であって互いに異なる色のサブ画素から構成される表示パネルに対し、前記サブ画素を指定された明るさにする表示データを供給する画像処理方法であって、
前記表示パネルに存在する欠陥サブ画素の色および位置を予め記憶し、
前記画素に対して三原色の明るさで指定する画像データを、前記所定数のサブ画素による色の明るさをそれぞれ指定する表示データに変換し、
記憶した位置に存在する欠陥サブ画素における明るさの過不足を補う所定の量を、当該欠陥サブ画素の周囲に位置し、当該欠陥サブ画素と同色のサブ画素に対する表示データに加える
ことを特徴とする画像処理方法。
【請求項９】
複数の画素を有し、前記複数の画素の各々は、４以上の所定数であって互いに異なる色のサブ画素から構成される表示パネルに対し、前記サブ画素を指定された明るさにする表示データを供給するコンピュータを、
前記画素に対して三原色の明るさで指定する画像データを、前記所定数のサブ画素による色の明るさをそれぞれ指定する表示データに変換する色変換手段、
前記表示パネルに存在する欠陥サブ画素の色および位置を記憶する記憶手段、および
前記記憶手段に記憶された位置に存在する欠陥サブ画素における明るさの過不足を補う所定の量を、当該欠陥サブ画素の周囲に位置し、当該欠陥サブ画素と同色のサブ画素に対する表示データに加える補正手段
として機能させることを特徴とするプログラム。
【発明の詳細な説明】
【技術分野】
【０００１】
本発明は、液晶などの表示装置において、１画素（ドット）を構成するサブ画素の欠陥を目立たなくする技術に関する。
【背景技術】
【０００２】
従来の表示装置においてカラー表示を行う場合、Ｒ（レッド）、Ｇ（グリーン）、Ｂ（ブルー）の３つの原色のそれぞれに対応したサブ画素によって１画素が構成される。このような表示装置においては、小型・薄型化に加えて、低コスト化の要求が強い。ここで、低コスト化を阻む最大の要因は、欠陥による歩留まりの低下である。
このため、特定の分野に用いられる表示装置にあっては、欠陥の総数が数個以内であって連続しなければ、それを良品として扱って、コストを低減する場合もある。ただし、欠陥画素は、あくまでも欠陥であり、そのままでは表示品位の低下を招くので、欠陥画素が目立たないようにする技術が提案されている（特許文献１参照）。この技術では、ＲＧＢにＷ（ホワイト）を加えた４つのサブ画素によりカラー表示を行う場合に、例えばＷが黒となるような欠陥があったとき、隣接する他の色（Ｇ、Ｒ、Ｂ、Ｂ）の変換率を基準値よりも低くすることによって、一面白表示における欠陥を目立たなくさせる、というものである。
【特許文献１】特開２００７−０２５３０３号公報
【発明の開示】
【発明が解決しようとする課題】
【０００３】
しかしながら、この技術では、欠陥のあるサブ画素のみならず、周辺のサブ画素についても情報の欠落が発生するので、例えば自然画や写真などの画像を表示させたときに、むしろ欠陥が目立ってしまう可能性がある。
本発明は、上述した事情に鑑みてなされたもので、その目的の一つは、サブ画素に欠陥があっても、自然画や写真などの画像を表示させたときに、サブ画素の欠陥を目立たなくすることが可能な技術を提供することにある。
【課題を解決するための手段】
【０００４】
上記目的を達成するために本発明に係る画像処理装置にあっては、複数の画素を有し、前記複数の画素の各々は、４以上の所定数であって互いに異なる色のサブ画素から構成される表示パネルに、前記サブ画素を指定された明るさにする表示データを供給する画像処理装置であって、前記画素に対して三原色の明るさで指定する画像データを、前記所定数のサブ画素による色の明るさをそれぞれ指定する表示データに変換する色変換回路と、前記表示パネルに存在する欠陥サブ画素の色および位置を記憶する記憶回路と、前記記憶回路に記憶された位置に存在する欠陥サブ画素における明るさの過不足を補う所定の量を、当該欠陥サブ画素の周囲に位置し、当該欠陥サブ画素と同色のサブ画素に対する表示データに加える補正回路と、を有することを特徴とする。この構成によれば、欠陥サブ画素の表現されるべき色は、隣接する同色のサブ画素により補われる形で表現される。このため、自然画などを表示させたときに、情報の欠落が発生しないので、サブ画素の欠陥を目立たなくすることが可能となる。なお、欠陥の位置を記憶する記憶回路は、不揮発性メモリからなる構成も好ましい。
【０００５】
上記画像処理装置において、前記表示パネルにおいて１画素は、４つのサブ画素から構成され、前記色変換回路は、前記画像データで指定される３色の明るさをそれぞれ逆γ変換する前段γ変換回路と、前記前段γ変換回路によって逆γ変換された３色の明るさを、４色の明るさに変換する４色変換回路と、前記４色変換回路により変換された４色の明る
さをそれぞれγ変換して、前記表示データとして出力する後段γ変換回路と、を有する構成としても良く、前記前段γ変換回路および前記後段γ変換回路は、それぞれ１次元ルックアップテーブルであり、前記４色変換回路は、３次元変換テーブルであるとしても良い。これにより、変換を、より簡易に行うことができる。
また、前記欠陥画素の周囲に位置し、当該欠陥サブ画素における明るさの過不足を補う所定の量が加えられるサブ画素を、時間的に変化させても良い。これにより、サブ画素の欠陥をさらに目立たなくすることができる。
【０００６】
また、本発明は、欠陥のあるサブ画素を有する表示パネルに表示データを供給する画像処理装置のほか、画像処理方法としても、また、表示パネルを含めて表示装置としても概念することができる。また、コンピュータに画像処理装置と同様な手段として機能させるためのプログラムとしても概念することも可能である。
【発明を実施するための最良の形態】
【０００７】
以下、本発明の実施形態に係る画像処理装置について図面を参照して説明する。
図１は、この実施形態に係る画像処理装置を適用した表示装置の全体構成を示すブロック図である。この図に示されるように、表示装置１は、画像処理装置１０と、駆動回路４０と、表示パネル５０とを含む。
【０００８】
このうち、表示パネル５０は、例えば液晶表示パネルである。この表示パネル５０では、サブ画素６２が、図２に示されるようにマトリクス状に配列している。ここで、Ｐ、Ｑ、Ｓ、Ｔの４つサブ画素６２によって１つの画素６０が表現される。なお、Ｐ、Ｑ、Ｓ、Ｔとは、４つの画素の色を区別するための符号であり、本例では、それぞれＥＧ、ＹＧ、Ｂ、Ｒに相当する。このため、表示パネル５０では、４つの異なるサブ画素６２による色の加法混色によって、１つの画素６０が表現される構成となっている。
【０００９】
なお、表示パネル５０の詳細については、特に図示しないが、例えば４８０行の走査線と２５６０（＝６４０×４）列のデータ線とが互いに交差するようにマトリクス状に配列し、この交差のそれぞれに対応するようにサブ画素６２が設けられている。このため、表示パネル５０は、サブ画素６２を単位としてみれば、縦４８０行×横２５６０列で配列し、画素６０を単位としてみれば、縦４８０行×横６４０列で配列することになる。
サブ画素６２の各々は、スイッチング素子と液晶素子とを有し、走査線が選択されたときにスイッチング素子がオン状態となって、液晶素子がデータ線の電圧に応じた電圧を保持して、当該保持電圧に応じた透過率となるように構成されている。
駆動回路４０は、これら４８０行の走査線を所定の順番で選択するとともに、選択した走査線に位置するサブ画素６２に対して、サブ画素の階調に応じた電圧のデータ信号をデータ線に供給するものである。
【００１０】
画像処理装置１０は、処理回路２０および記憶回路３０を有する。このうち、処理回路２０の構成を図３に示す。図３に示されるように、処理回路２０は、色変換回路２２および補正回路２４を有する。
【００１１】
処理回路２０における色変換回路２２には、画像データＤinが外部上位回路（図示省略）から供給される。この画像データＤinは、表示パネル５０の縦４８０行×横６４０列の画素６０で表現すべき色をそれぞれＲ、Ｇ、Ｂの三原色の階調（明るさ）を指定するデジタルデータであり、１行１列〜１行６４０列、２行１列〜２行６４０列、３行１列〜３行６４０列、…、４８０行１列〜４８０行６４０列という画素の順番で１フレームの期間にわたって供給される。なお、１フレームの期間とは、周波数６０Ｈｚの逆数である１６．７ミリ秒に相当する。
一方、本実施形態において、表示パネル５０は、１つの画素６０をＲ、Ｇ、Ｂではなく
、Ｐ（ＥＧ）、Ｑ（ＹＧ）、Ｓ（Ｂ）、Ｔ（Ｒ）の４色による加法混色で表現する。このため、画像データＤi nが指定するＲＧＢの階調（明るさ）を、ＰＱＳＴの階調に変換す
る必要がある。この変換を実行するのが色変換回路２２である。
【００１２】
図４（ａ）は、色変換回路２２の構成を示すブロック図である。
この図に示されるように、色変換回路２２は、前段γ変換回路２２２と、４色変換回路２２４と、後段γ変換回路２２６とに分けられる。
前段γ変換回路２２２は、１次元ルックアップテーブルであり、外部上位回路によってγ変換されている画像データＤinのＲＧＢの各階調を、図４（ｂ）に示されるように逆γ変換して、γ変換前の特性に戻し、データＲb、Ｇb、Ｂbとして出力するものである。こ
こで、上記１次元のルックアップテーブルは、各色で共通であり、変換特性については記憶回路３０に予め記憶されたものがセットされて用いられる。
【００１３】
４色変換回路２２４は、３次元ルックアップテーブルであり、図４（ｂ）に示されるように、データＲb、Ｇb、Ｂbの３次元の各入力格子に対応した４色変換値を予め計算して
おき格納したものである。
ここで、３次元のルックアップテーブルには、記憶回路３０に予め記憶されたものが用いられ、Ｒb、Ｇb、Ｂbが取り得るの値の組み合わせのすべてに対応した４色変換値を記
憶しても良い。ただし、データＲb、Ｇb、Ｂbが取り得るの値の組み合わせのすべてに対
応した４色変換値を予め記憶する構成では、３次元のルックアップテーブルに要する記憶容量が大きくなるので、代表的な値の組み合わせに対応した４色変換値だけを予め記憶しておき、代表的な値の組み合わせから外れた値を入力したとき、例えば入力値を囲む８つの格子に相当する４色変換値を読み出し、入力値までの距離に応じて補間演算などを実行して求める構成が好ましい。
このように、３色から４色への変換は、格納する値を用途に応じて最適に計算することにより、色変換精度の向上や、所望の特性を柔軟に実現することが可能である。なお、格子上の４色変換値を予め計算する際には、最小二乗法などが用いられる。
なお、４色変換回路２２４により変換された４色変換値は、ＰＱＳＴの４色のそれぞれに対応したデータＰa、Ｑa、Ｓa、Ｔaとして表記している。
【００１４】
後段γ変換回路２２６は、１次元ルックアップテーブルであり、４色変換回路２２４により変換された４色変換値のデータＰa、Ｑa、Ｓa、Ｔaを、図４（ｂ）に示されるようにγ変換して、色変換回路２２によるデータＰb、Ｑb、Ｓb、Ｔbとして出力するものである。
【００１５】
ところで、表示パネル５０において、４８０行×横２５６０列で配列するサブ画素６２のすべてを欠陥なく製造することは非常に困難である。このため、サブ画素６２の欠陥がゼロである表示パネルだけを良品として出荷することにすると、歩留まりが低下し、製造コストがアップしてしまう。このため、実際には上述したように、欠陥サブ画素の個数が所定数以内であって、連続しなければ、それを良品として扱って、製造コストを低減することができる。ただし、欠陥のあるサブ画素では、表示データで指定された透過率とはならないので、このままでは、欠陥のあるサブ画素が目立ってしまうことになる。そこで、このような欠陥のあるサブ画素を目立たなくするために、処理回路２０に補正回路２４が設けられている。
【００１６】
補正回路２４は、色変換回路２２によるデータＰb、Ｑb、Ｓb、Ｔbを補正し、表示データＰc、Ｑc、Ｓc、Ｔcとして出力するものである。そこで、補正回路２４による補正内容について図５（ａ）に示されるようにＱのサブ画素６２に欠陥が生じている場合を例にとって説明する。
なお、表示パネル５０の製造時において、すべてのサブ画素が欠陥であるか正常である
か検査される。このときに欠陥があった場合には、当該欠陥のあるサブ画素６２の位置および色に関する情報が記憶回路３０に記憶される。したがって、当該Ｑのサブ画素６２の位置（行番目および列番目）および色（Ｑであること）に関する情報は、記憶回路３０に記憶されている。
また、欠陥サブのあるサブ画素の位置および色に関する情報は書き換える必要がないので、当該情報を記憶する領域については、書換不可能な不揮発性メモリを用いることができる。ただし、記憶回路３０については、色変換回路２２における１次元・３次元ルックアップテーブルの変換内容を記憶するので、この変換内容の変更に対処する場合には、変換内容を記憶する領域については書換可能なメモリを用いることが好ましい。
【００１７】
さて、図５（ａ）では、ハッチングで示したＱのサブ画素が、データＱbで指定された
階調となるべきにもかかわらず、欠陥によって、ある一定の階調に相当する値Ｑc0に固定化されてしまう場合を想定している。ここで、欠陥によって固定化される階調とは、例えば常時非点灯状態（常時、暗の状態をいい、ノーマリーホワイトモードであれば常時オン状態であり、ノーマリーブラックモードであれば常時オフ状態）となる欠陥であれば、最も暗い階調の最低値をいい、常時点灯状態（常時、暗の状態をいい、ノーマリーホワイトモードであれば常時オフ状態であり、ノーマリーブラックモードであれば常時オン状態）となる欠陥であれば、最も明るい階調の最高値をいう。また、データＱbで指定された欠
陥サブ画素の階調の値をＱb0とする。
補正回路２４は、当該Ｑの欠陥サブ画素６２によって表示すべき階調値Ｑb0から、実際に欠陥に表示されてしまう階調に相当する値Ｑc0を引いた差分、すなわち欠陥により生じるであろう表示の過不足分（Ｑb0−Ｑc0）に応じた値を、上、左、右、下方向に隣接するＱの４つの正常なサブ画素に割り当てる。
【００１８】
この割り当てについては、図５（ｂ）に示される通りである。ここで、欠陥のあるＱのサブ画素を含む画素に対して上、左、右、下方向に隣接する画素のうち、同色Ｑのサブ画素に対しデータＱbで指定された階調の値をそれぞれＱb1、Ｑb2、Ｑb3、Ｑb4とする。
補正回路２４は、上側に隣接する画素のＱのサブ画素について、周辺４つの画素のそれぞれに含まれるＱのサブ画素で表示すべき階調の値の和に対し、自身で表示すべき階調の値の割合であるＱb1／（Ｑb1＋Ｑb2＋Ｑb3＋Ｑb4）を、欠陥サブ画素の過不足分（Ｑb0−Ｑc0）に乗じて、値Ｑb1に加算し、この加算値を補正した値Ｑc1とする。同様に、補正回路２４は、左、右、下側に隣接する画素のサブ画素について、４つのサブ画素で表示すべき階調の値の和に対して自身で表示すべき階調の値の割合Ｑb2／（Ｑb1＋Ｑb2＋Ｑb3＋Ｑb4）、Ｑb3／（Ｑb1＋Ｑb2＋Ｑb3＋Ｑb4）、Ｑb4／（Ｑb1＋Ｑb2＋Ｑb3＋Ｑb4）を、欠陥サブ画素の過不足分（Ｑb0−Ｑc0）にそれぞれ乗じて、値Ｑb2、Ｑb3、Ｑb4に加算し、これを補正した値Ｑc2、Ｑc3、Ｑc4とする。
【００１９】
一方、欠陥のあるＱのサブ画素を含む画素において、正常なＰ、Ｓ、Ｔのサブ画素の階調を指定するデータの値Ｐb0、Ｓb0、Ｔb0について、補正回路２４は、変更することなく、そのまま値Ｐc0、Ｓc0、Ｔc0としてそれぞれ出力する。
当該欠陥のあるサブ画素６２に対して、上、左、右、下で隣接する異色のサブ画素についても同様であり、詳細には、補正回路２４は、上方向に隣接するサブ画素の階調を指定するデータの値Ｐb1、Ｓb1、Ｔb1についても、それぞれ変更することなく、そのまま値Ｐc1、Ｓc1、Ｔc1としてそれぞれ出力し、左方向に隣接するサブ画素の階調を指定するデータの値Ｐb2、Ｓb2、Ｔb2についても、それぞれ変更することなく、そのまま値Ｐc2、Ｓc2、Ｔc2としてそれぞれ出力し、右方向に隣接するサブ画素の階調を指定するデータの値Ｐb3、Ｓb3、Ｔb3についても、それぞれ変更することなく、そのまま値Ｐc3、Ｓc3、Ｔc3としてそれぞれ出力し、下方向に隣接するサブ画素の階調を指定するデータの値Ｐb4、Ｓb4、Ｔb4についても、それぞれ変更することなく、そのまま値Ｐc4、Ｓc4、Ｔc4としてそれぞれ出力する。
このように、表示データＱcのうち、欠陥のあるＱのサブ画素を含む画素に対して上、
左、右、下方向にそれぞれ隣接する画素のＱのサブ画素に対して指定される階調の値は、Ｑb1〜Ｑb4からＱc1〜Ｑc4に変更される。
一方、欠陥のあるＱのサブ画素に対して上、左、右、下方向にそれぞれ隣接しても、Ｑとは違う色のサブ画素に対して指定される階調の値は変更されないので、データＰb、Ｓb、Ｔcは、補正回路２４によって変更されることなく、それぞれ表示データＰc、Ｓc、Ｔcとして出力されることになる。
【００２０】
なお、画像データＤinが外部上位回路から上述した画素の順番で供給される場合に、例えば３行４５列の画素に属するＱのサブ画素に欠陥があるとき、当該欠陥サブ画素を含む画素に対して上方向に隣接する２行４５列の画素に対応する画像データＤinの供給時点において、当該欠陥画素に対して左方向に隣接する３行４４列、右方向に隣接する３行４６列、および、下方向に隣接する４行４５列の画素に対応する画像データは供給されていない。このため、実際には、少なくとも１フレーム分に相当する画像データＤinを記憶回路３０に一旦記憶した後、上記画素の順番で読み出して、２行４５列の画素に対応する画像データを補正して出力するときには、記憶した３行４４列、３行４６列および４行４５列に対応する画像データのうち、欠陥のあるサブ画素と同色の画像データを用いて補正する構成となる。
【００２１】
そして、補正回路２４から出力された表示データＰc、Ｑc、Ｓc、Ｔcは、まとめてデータＤoutとして駆動回路４０に供給され、これにより、表示パネル５０におけるサブ画素
６２は、当該表示データＰc、Ｑc、Ｓc、Ｔcで指定された階調となる。
【００２２】
このような実施形態によれば、サブ画素に欠陥があっても、当該欠陥のサブ画素における表示の過不足分が、当該欠陥サブ画素の上左右下に隣接する４画素の各サブ画素に割り振られて表現されるので、当該欠陥サブ画素が存在を目立たなくすることが可能となる。これは、表示装置の高精細化が進むと、人の目がサブ画素単位で色を識別できなくなる上に、欠陥サブ画素により表示できない色成分が、周辺４つのサブ画素に割り振って代替えにより視認されるようにしたので、欠陥のあるサブ画素が認識しにくくなるためである。
【００２３】
なお、ここでは、Ｑのサブ画素について欠陥がある場合を例にとって説明したが、Ｑではなく、Ｒ、Ｓ、Ｔのいずれかのサブ画素について欠陥がある場合においても同様である。
【００２４】
また、ここでは、欠陥のあるサブ画素を含む画素に対して上、左、右、下に隣接する画素の同色サブ画素の４つに対する階調の値を補正したが、例えば２つや、８つなどのサブ画素に対する階調の値を補正しても良い。
【００２５】
図６（ａ）は、欠陥のあるＱのサブ画素を含む画素に対して上、下に隣接する画素の同色サブ画素の２つに対する階調の値を補正する例であり、図６（ｂ）は、欠陥のあるＱのサブ画素を含む画素に対して左、右に隣接する画素の同色サブ画素の２つに対する階調の値を補正する例である。いずれも、補正内容は、図６（ｃ）に示される通りであり、基本的に、図５（ｂ）と同様である。
【００２６】
また、図７（ａ）は、欠陥のあるＱのサブ画素を含む画素に対して左上、上、右上、左、右、左下、下、右下に隣接する画素の同色サブ画素の８つに対する階調の値を補正する例であり、補正内容は、図７（ｃ）に示される通りである。基本的に図５（ｂ）と同様である。
なお、図７（ｃ）に示した補正内容は、欠陥のサブ画素における表示の過不足分が、当該欠陥サブ画素に隣接する８画素の各サブ画素に対して均等に振り振った状態を示してい
るが、欠陥サブ画素に対して左上、右上、左下および右下方向に隣接するサブ画素までの距離は、上、左、右および下で隣接するサブ画素までの距離よりも√２倍であるので、この距離差を考慮しても良い。すなわち、欠陥サブ画素に対して左上、右上、左下および右下方向に隣接するサブ画素に割り振る値を、上、左、右および下方向に隣接するサブ画素に割り振る値の１／√２倍としても差を持たせても良い。
【００２７】
また、欠陥サブ画素における表示の過不足分を割り振る画素（サブ画素）を時間的に固定化するのではなく、時間的に切り替えるようにしても良い。例えば、奇数フレームでは、図８（ａ）に示されるように上、左、右、下の画素に割り振り、当該奇数フレームの次の偶数フレームでは、図８（ｂ）に示されるように左上、右上、左下、右下の画素に割り振るようにしても良い。このように時間的に切り替えるようにすると、変更したサブ画素がさらに目立ちにくくさせることが可能となる。
【００２８】
なお、上述した実施形態では、４色のＰ、Ｑ、Ｓ、Ｔとして、ＥＧ、ＹＧ、Ｒ、Ｂを例にとって説明したが、このほかにもＷ、Ｇ、Ｂ、Ｒや、Ｒ、Ｇ、Ｂ、Ｙなどとしても良い。さらに、４色に限られず、５色以上としても良い。サブ画素の配列については、図２に示したストライプ配列のほかにも、モザイク配列や、デルタ配列など、種々のものが適用できる。
また、画像処理装置１０における処理内容を、所定のアプリケーションプログラムを実行させるコンピュータに置き換えて、同等な機能構成を実現させても良い。
【００２９】
また、表示パネル５０を液晶表示パネルの透過型として説明したが、反射型としても良いし、半透過半反射型としても良い。液晶表示パネルにおけるバックライトの光源として白色ＬＥＤや、ＲＧＢの３色ＬＥＤ、青色ＬＥＤによる青色発光の一部を蛍光変換したものを用いても良い。
さらには、表示パネル５０としては、液晶表示パネルに限られず、ＦＥＤや、有機ＥＬ素子、ＣＲＴ、プラズマディスプレイなど、１画素を４つ以上のサブ画素で表示するタイプのすべてに適用可能である。
【００３０】
次に、上述した実施形態に係る表示装置１を有する電子機器の例について説明する。
図９は、実施形態に係る表示装置１を用いた携帯電話１２００の構成を示す図である。この図に示されるように、携帯電話１２００は、複数の操作ボタン１２０２のほか、受話口１２０４、送話口１２０６とともに、上述した表示装置１を備える。
なお、表示装置１が適用される電子機器としては、図９に示した携帯電話の他にも、デジタルスチルカメラ、ノートパソコン、液晶テレビ、ビデオレコーダ、カーナビゲーション装置、ページャ、電子手帳、電卓、ワードプロセッサ、ワークステーション、テレビ電話、ＰＯＳ端末、タッチパネル等などの機器が挙げられる。そして、これらの各種電子機器の表示装置として、上述した表示装置１が適用可能であることは言うまでもない。
【図面の簡単な説明】
【００３１】
【図１】実施形態に係る画像処理装置を適用した表示装置の構成を示す図である。
【図２】同表示装置における画素の構成を示す図である。
【図３】同画像処理装置における処理回路の構成を示す図である。
【図４】同処理回路における色変換回路の構成を示す図である。
【図５】同補正回路による欠陥サブピクセルに対する周辺画素の補正を示す図である。
【図６】周辺画素の補正内容の一例を示す図である。
【図７】周辺画素の補正内容の一例を示す図である。
【図８】周辺画素の切り替え例を示す図である。
【図９】実施形態に係る表示装置を用いた電子機器の構成を示す図である。
【符号の説明】
【００３２】
１…表示装置、１０…画像処理装置、２０…処理回路、２２…色変換回路、２２２…前段γ回路、２２４…４色変換回路、２２６…後段γ変換回路、２４…補正回路、３０…記憶回路、４０…駆動回路、５０…表示パネル、６０…画素、６２……サブ画素
【図１】
2009047965.tif 000003
【図２】
2009047965.tif 000004
【図３】
2009047965.tif 000005
【図４】
2009047965.tif 000006
【図５】
2009047965.tif 000007
【図６】
2009047965.tif 000008
【図７】
2009047965.tif 000009
【図８】
2009047965.tif 000010
【図９】
2009047965.tif 000011